(57)【要約】 【課題】本発明は吟詠コンクール審査項目の調和に対処する目安として、自動演奏曲の各選曲毎の起句、承句、転句、結句の吟詠標準時間を設定し、その起句、承句、転句、結句の吟詠標準時間と吟者の実測結果との差を把握し、且つ全体の吟詠標準時間と吟者の全体の実測結果との差も把握して吟じることが可能となる吟詠時間の測定器を提供することを目的とする。【解決手段】箱状の装置本体１に少なくとも、選曲ボタン２を多数配置し、測定時間開始用の開始ボタン３を設けると共に起承転結の詩文の各句の長さを測定するための判定ボタン４を設け、且つ操作指示，選曲番号及びそれに対応する吟詠標準時間，実測結果，吟詠標準時間と実測結果の差などが表示されるための液晶の表示画面５を配置させる構造とする。【選択図】図１
2005338124.tif 000002
【特許請求の範囲】
【請求項１】
箱状の装置本体(１)に少なくとも、選曲ボタン(２)を多数配置し、測定時間開始用の開始ボタン(３)を設けると共に起承転結の詩文の各句の長さを測定するための判定ボタン(４)を設け、且つ操作指示，選曲番号及びそれに対応する吟詠標準時間，実測結果，吟詠標準時間と実測結果の差などが表示されるための表示画面（５）を配置したことを特徴とする吟詠時間の測定器。
【請求項２】
前記選曲ボタン(２)が、自動伴奏曲の数に対応する１２個であり、前記装置本体(１)に、前記表示画面（５）の表示を始めの状態に戻すための初期化ボタン（６）が設けられた請求項1記載の吟詠時間の測定器。
【請求項３】
前記表示画面（５）が液晶画面であり、この画面には、吟詠後に句毎の吟者の吟詠時間の実測結果と、句毎の吟詠標準時間と、句毎の吟詠標準時間と実測結果の差と、全体の吟詠標準時間と、全体の吟者の吟詠時間の実測結果とが表示される請求項1記載の吟詠時間の測定器。
【請求項４】
前記装置本体(１)にはコンピューター部(７)が設けられ、該コンピューター部(７)が、自動伴奏曲の選曲番号に対応した句毎の吟詠標準時間の設定データーが収納された記憶部（71）と、句毎及び全体の吟者の吟詠時間を測定するタイマー部（72）と、句毎の吟者の吟詠時間の実測結果と吟詠標準時間の差を演算する演算部（73）と、前記表示画面（５）の表示を制御する制御部（74）とから少なくとも構成された請求項1又は２記載の吟詠時間の測定器。
【請求項５】
前記装置本体(１)に、電池ボックス(８)が内蔵され、且つ電源アダプター用端子(９)が取付けられた請求項1、２又は４記載の吟詠時間の測定器。
【発明の詳細な説明】
【技術分野】
【０００１】
本発明は吟剣詩舞用の伴奏集の自動伴奏曲に対応させて使用する吟詠時間の測定器に関する。
【背景技術】
【０００２】
従来、詩吟の選抜大会審査時や吟詠コンクール審査時などに於ける吟詠時間の測定方法としては、ストップウォッチを用い、吟者の発声と同時に時間担当の審査員がストップウォッチを押し、吟じ終えた時点でストップウォッチを押し、吟者が吟詠していた時間の長さだけを測定していた。一般に五言絶句又は七言絶句の場合、１分４５秒〜２分までの間に吟じることが決められており、１分４５秒以下になると、せっかちで落ち着きのない吟になり、２分以上になると間伸びした吟になってしまうと同時に財団吟詠コンクール審査規定には２分を越すと失格となることが規定化されている。この吟詠時間の測定は、審査の重要な要素になっていた。又、吟詠時間は詩情表現の傾向によって多少異なり、自動伴奏曲の伴奏時間も詩情表現の傾向に対応して多少異なるものである。尚、本発明で言う「自動伴奏曲」とは、ＣＤ（コンパクト・ディスク）による自動伴奏のことを指す。
【０００３】
又、市販されている自動伴奏曲の内容としては絶句１〜絶句１２までがある。具体的には、絶句１〜絶句４までは風景・叙情用に、絶句５〜絶句８までは哀愁・懐古用に、絶句９〜絶句１２までは勇壮・教訓用に用意され、且つ吟者の声の高さ（以降、本数と言う）に応じて、低音用の水１と、１本〜１０本とに対応する自動伴奏曲の絶句１〜絶句１２が用意されている。また絶句１〜絶句１２の選曲の目安としては、編曲上の詩情表現の傾向を参考にする。つまり、絶句１は自然界の花鳥風月に感じて心の和みを表現している詩文に適し、絶句２は川面から見える風景、例えば山、樹木、月などを表現している詩文に適し、絶句３は季節の移り変り、例えば春や夏の訪れなどの心情を表現している詩文に適し、絶句４は雄大且つ神秘的な自然の営みを表現している詩文に適した風景・叙情用として用いると良い。また絶句５は達観した感慨を表現している詩文に適し、絶句６は秋、冬の風景や月に感じて、昔日の悲話に思いを巡らす表現の詩文に適し、絶句７は過ぎし日の慕情、例えば親、師弟、友を回想する表現の詩文に適し、絶句８は偉人の人なりを懐古する表現の詩文に適した哀愁・懐古用として用いると良い。更に絶句９は傑人の心意気を語る表現の詩文に適し、絶句１０は精神の発揚を表現している詩文に適し、絶句１１は勇士の意気込み表現する詩文に適し、絶句１２は英雄の心の高揚と人の処世訓を表現する詩文に適した勇壮・教訓用として用いると良い。
【０００４】
近年に於いて、吟詠コンクールの伴奏には自動伴奏曲を使用することが規定化されており、且つ吟者の吟詠時間の実測結果と、共に吟者の詩情表現が自動伴奏曲と調和しているか否かを審査する「調和」の審査項目が入れられるようになってきた。しかしながら、前記調和は審査官の感性の判断で行われているのが現状であり、吟者としては漠然と詩情表現を行うしか対処方法はなく、確固たる目安がないものであった。
【特許文献１】なし
【発明の開示】
【発明が解決しようとする課題】
【０００５】
本発明は自動伴奏曲と調和して充分に詩情表現することが可能となる吟詠時間の測定器を提供することを目的とする。
【課題を解決するための手段】
【０００６】
本発明は上記課題に鑑み成されたものであり、吟詠コンクール審査項目の調和に対処する目安として、自動演奏曲の各選曲番号毎の起句、承句、転句、結句の吟詠標準時間を設定し、その起句、承句、転句、結句の吟詠標準時間と吟者の吟詠時間の実測結果との差を把握し、且つ全体の吟詠標準時間と吟者の全体の実測結果との差も把握して吟じることが好ましいことに本発明者が着目して成されたものである。つまり、箱状の装置本体に少なくとも、選曲ボタンを多数配置し、測定時間開始用の開始ボタンを設けると共に起承転結の詩文の各句の長さを測定するための判定ボタンを設け、且つ操作指示，選曲番号及びそれに対応する吟詠標準時間，実測結果，吟詠標準時間と実測結果の差などが表示されるための表示画面を配置させる構造とする。また選曲ボタンを自動伴奏曲の数に対応する１２個とし、表示画面の表示を始めの状態に戻すための初期化ボタンを装置本体に設けると良く、表示画面として液晶画面を用い、この画面には、句毎の吟者の吟詠時間の実測結果と、句毎の吟詠標準時間と、句毎の吟詠標準時間と実測結果の差と、全体の吟詠標準時間と、全体の吟者の実測結果とを表示させると良い。また装置本体にコンピューター部を設け、該コンピューター部が、自動伴奏曲の選曲番号に対応した句毎の吟詠標準時間の設定データーが収納された記憶部と、句毎及び全体の吟者の吟詠時間を測定するタイマー部と、句毎の吟者の吟詠時間の実測結果と吟詠標準時間の差を演算する演算部と、表示画面の表示を制御する制御部とから少なくとも構成すると良く、更に装置本体に、電池ボックスを内蔵し、電源アダプター用端子を取付けておくと良い。
【発明の効果】
【０００７】
請求項１のように箱状の装置本体(１)に少なくとも、選曲ボタン(２)を多数配置し、測定時間開始用の開始ボタン(３)を設けると共に起承転結の詩文の各句の長さを測定するための判定ボタン(４)を設け、且つ操作指示，選曲番号及びそれに対応する吟詠標準時間，実測結果，吟詠標準時間と実測結果の差などが表示されるための表示画面（５）を配置することにより、従来、吟詠コンクール審査項目の調和に対処する目安がなかったが、本発明品を使用すれば、自動演奏曲の各選曲毎の起句、承句、転句、結句の吟詠標準時間と吟者の吟詠時間の実測結果との差が把握でき、且つ全体の吟詠標準時間と吟者の全体の実測結果との差も把握しながら吟じることが可能となるため、自動伴奏曲と調和し、詩情表現が充分に表現されるための練習をすることが可能なものとなる。
【０００８】
請求項２のように選曲ボタン(２)として自動伴奏曲の数に対応する１２個配置させることにより、各選曲に対して簡単に対応出来るものとなる。また表示画面（５）の表示を始めの状態に戻すための初期化ボタン（６）を装置本体(１)に設けることにより、連続して審査する際、直ぐに初期化ボタン（６）を押すと共に選曲ボタン(２)を押せば、調和と吟詠時間の測定がスムーズに行えるものとなる。
【０００９】
請求項３に示すように表示画面（５）が液晶画面であり、この画面には、吟詠後に句毎の吟者の吟詠時間の実測結果と、句毎の吟詠標準時間と、句毎の吟詠標準時間と実測結果の差と、全体の吟詠標準時間と、全体の吟者の実測結果とを表示することにより、詩情表現がより適切に練習することが可能となると共に審査する場合の時間と調和の測定器として使用出来るものとなり、且つ審査員が一人でも公平で且つ正確な審査が可能となる。また本発明品は吟詠時間の修正箇所が句毎に数字として明示され、伴奏に合せた吟詠を行うための細やかな指導が可能となる。特にコンクール出場者の指導として自動伴奏曲と調和させる練習及び吟詠時間の配分練習に最適なものとなると共に吟の上達スピードを効果的にアップさせることが可能となる。
【００１０】
請求項４に示すように装置本体(１)にコンピューター部(７)を設け、該コンピューター部(７)として、自動伴奏曲の選曲番号に対応した句毎の吟詠標準時間の設定データーが収納された記憶部（71）と、句毎及び全体の吟者の吟詠時間を測定するタイマー部（72）と、句毎の吟者の吟詠時間の実測結果と吟詠標準時間の差を演算する演算部（73）と、表示画面（５）の表示を制御する制御部（74）とから少なくとも構成することにより、誰でも簡単な操作で使用することが出来るものとなると共に使用電力が小さくできるため、電源として乾電池を用いた場合でも長時間に渡って利用することが可能となり、維持管理も簡単なものとなる。
【００１１】
請求項５のように装置本体(１)に電池ボックス(８)を内蔵させることにより、本発明品が自由に持運び出来る携帯用となり、何処でも使用でき、詩情表現の練習や吟詠時間などの吟の練習をすることが可能なものとなる。また装置本体(１)に電源アダプター用端子(９)を取付けることにより、乾電池の消費を気にすることなく確実に動作するものとなる。
【発明を実施するための最良の形態】
【００１２】
図１は本発明の実施形態を示す図であり、これについて説明する。（１）は表面に傾斜を設けて見易くした箱状の装置本体である。（２）は装置本体(１)の表面に配置した多数の選曲ボタンであり、該選曲ボタン(２)としては、自動伴奏曲の数に対応して１２個配置されている。尚、前記選曲ボタン(２)は押しボタン式であるが、これに限定されるものではなく、例えば回転式で選曲ボタン(２)の数量を減少させたものとしても良い。（３）は装置本体(１)の表面に設けた測定時間開始用の開始ボタンであり、（４）は装置本体(１)の表面に設けた判定ボタンであり、該判定ボタン(４)は起承転結の詩文の各句の長さを測定するためのものであり、各句が終わった時点で押して使用するものである。（５）は装置本体(１)の表面に配置した液晶の表示画面であり、該表示画面（５）は操作指示，選曲番号及びそれに対応する句毎の吟詠標準時間，吟詠後に句毎の吟者の吟詠時間の実測結果と、句毎の吟詠標準時間と実測結果の差と、全体の吟詠標準時間と、全体の吟者の実測結果などを表示させる。尚、前記表示画面（５）は液晶画面（液晶ディスプレー）に限定されるものではなく、一般的な表示画面を用いても良い。また前記表示画面（５）の代りに、プリンターを設置して、その実測結果がプリントアウトされて確認できるようにしても良い。（６）は装置本体(１)の表面に設けた初期化ボタンであり、これは表示画面（５）の表示を始めの状態に戻すための役目を果たす。
【００１３】
（７）は装置本体(１)の内部に設けたコンピューター部であり、該コンピューター部(７)としては、自動伴奏曲の選曲番号に対応した句毎の吟詠標準時間の設定データーなどが収納された記憶部（71）と、句毎及び全体の吟者の吟詠時間を測定するタイマー部（72）と、句毎の吟者の吟詠時間の実測結果と吟詠標準時間を比較し、且つその差を演算する演算部（73）と、表示画面（５）の表示を制御する制御部（74）とから少なくとも構成されている。その他の機能としては図示しないが、初期化機能，電源安定回路，表示画面（５）の濃さ調節機能，パソコンから基礎データーなどを記憶部（71）に収納するための端子なども備えられている。尚、前記吟詠標準時間の句毎の設定データーとしては、起句の吟詠標準時間を２９〜３１秒、承句の吟詠標準時間を２４〜２７秒、転句の吟詠標準時間を３０〜３５秒、結句の吟詠標準時間を２６〜３０秒に設定し、且つ全体の吟詠標準時間を１分５３〜５７秒に設定しており、自動伴奏曲の選曲番号に応じた長さを設定している。（８）は装置本体(１)に内蔵した電池ボックスであり、単３の乾電池が4本収納されている。尚、乾電池は他のサイズで且つ他の本数としても良い。（９）は装置本体(１)の右側面に設けた電源アダプター用端子である。尚、前記電源アダプター用端子（９）の設ける位置は装置本体(１)の右側面に限定されるものではなく、例えば裏面側に設けても良い。（10）は電源スイッチである。
【００１４】
次に本発明の使用方法を図３に基づいて説明する。予め吟者は吟題に合った自動伴奏曲の選曲番号を決めると共に吟者の本数に合った自動伴奏曲（ＣＤ）を用意してプレーヤーにセットし、且つ本発明品の操作者（以降、審査員と言う）に選曲番号を知らせておく。この選曲番号の決め方としては、吟の内容が「０００３」で説明した自動伴奏曲の内容にどれが一番近いかを検討して吟者が決定すれば良い。先ず始めにプレーヤーをかける前に、本発明品の電源スイッチ（10）を入れる。すると表示画面（５）には「センキョク  シテクダサイ」と表示されるため、吟者の選択した選曲番号、例えば８の選曲ボタン(２)を押す。該選曲ボタン(２)が押されると、（ａ）に示すように表示画面（５）には、選曲番号が上部中央に「プログラム０８」として表示されると共に左側にその選曲の各句の吟詠標準時間、つまり、上から下に向って起句の吟詠標準時間（３１秒）、承句の吟詠標準時間（２４秒）、転句の吟詠標準時間（３２秒）、結句の吟詠標準時間（２９秒）の各数字のみが表示される。その後、プレーヤーを操作して自動伴奏曲を流すと、前奏が始まり、それが終了した時点で吟者が声を発生すると同時に審査員は開始ボタン(３)を押す。すると（ｂ）に示すように表示画面（５）には、選曲番号の代りに起句の吟詠標準時間３１の右側からカギ状のマークが２秒で１個の間隔で表示されて、起句を測定していることを表示する共に右端には点滅しながら吟詠時間をカウント表示する。この時、右端の四角形状は点滅しながらカウントされている状態を示す。
【００１５】
その後、吟者が起句を終了すると同時に審査員は判定ボタン(４)を押す。すると（ｃ）のように表示画面（５）には、起句の実測結果を右端に２９と表示し、承句の吟詠標準時間２４の右側からカギ状のマークが順次表示される。また表示画面（５）の右端には点滅しながら吟詠時間をカウント表示すると共に上部中央には起句から連続した吟詠時間がカウント表示される。この時、起句の吟詠時間の実測結果は２９秒であり、その前に感嘆符が表示されているが、これが表示されない時は連続してカウントし続けてしまい、判定ボタン(４)が完全に押されなかったことを示す。次に吟者が承句を終了すると同時に審査員は判定ボタン(４)を押すと、（ｄ）に示すように表示画面（５）には、承句の実測結果を右端に感嘆符と共に２４と表示し、転句の吟詠標準時間２４の右側からカギ状のマークが順次表示される。また表示画面（５）の右端には点滅しながら吟詠時間をカウント表示すると共に上部中央には起句から連続した吟詠時間がカウント表示される。その後、吟者が転句を終了すると同時に審査員は判定ボタン(４)を押すと、（ｅ）に示すように表示画面（５）には、上記同様に右端へ感嘆符と共に転句の吟詠時間が３０と表示され、結句の吟詠標準時間２９の右側からカギ状のマークが順次表示される。また表示画面（５）の右端には吟詠時間をカウント表示し、上部中央には起句から連続した吟詠時間がカウント表示される。そして吟者が結句を吟じ終えると同時に審査員は判定ボタン(４)を押すことにより、吟詠時間の測定を終了する。この時の表示画面（５）には（ｆ）に示すように、上部中央に「プログラム０８」として選曲番号が表示されると共に左側に句毎の吟詠標準時間が上から下に向って表示されている。また表示画面（５）の右端には感嘆符と共に句毎の実測結果及び吟詠標準時間との差が＋−の数字で表示されている。更に全体の吟詠標準時間がＳ．Ｔ０１：５６として、且つ吟者の全体の実測結果がＫ．Ｔ０１：５５として表示されている。尚、前記表示画面（５）に、各句の吟詠標準時間の目安として「＊」を表示させ、吟詠時間が吟詠標準時間よりオーバーした時に、「Х」が表示されるようにしても良い。
【００１６】
この結果、今回の吟は全体の吟詠時間としては良好であるが、起句と転句を少しゆっくり吟じ、且つ結句を少し早めに吟じるように心掛けることによって、詩情表現がより豊かな吟になると考えられ、この事実を吟者にアドバイスすることが出来るのである。尚、本発明品の操作は、審査員や師範が行うのが好ましいが、それ以外の人が練習用に、一人で操作しながら吟の練習を行う使い方としても良い。
【００１７】
次に新たに吟じる場合や自動伴奏曲の選曲番号の変更を行う場合は、初期化ボタン（６）をその都度押し、更に選曲番号の選曲ボタン(２)を押すと共に上記順序で本発明品を操作すれば良い。本発明品の操作を終了する時には、電源スイッチ（10）を切り、電源アダプター用端子（９）を使用した場合には、コンセントから電源アダプターを外しておくと良い。
【図面の簡単な説明】
【００１８】
【図１】本発明の実施形態を示す斜視図である。
【図２】本実施形態の構成を示す説明図である。
【図３】本実施形態の表示画面に表示される状態を示す説明図である。
【符号の説明】
【００１９】
１  装置本体
２  選曲ボタン
３  開始ボタン
４  判定ボタン
５  表示画面
６  初期化ボタン
７  コンピューター部
71  記憶部
72  タイマー部
73  演算部
74  制御部
８  電池ボックス
９  電源アダプター用端子
【図１】
2005338124.tif 000003
【図２】
2005338124.tif 000004
【図３】
2005338124.tif 000005